(57)【特許請求の範囲】
【請求項１】
送信側において、情報系列に基づきシンボル単位で変調多値数分の変調用位相回転系列を用いて変調する変調手段と、前記変調手段の出力に対して、周波数軸上で一定の周波数幅で変化する位相回転系列により拡散処理を施す拡散手段と、を備え、
受信側においては、前記拡散手段で用いた拡散用位相回転系列をシンボル単位で逆位相回転した逆位相回転系列を乗算する乗算手段と、
前記変調手段で用いた変調用位相回転系列をシンボル単位で逆位相回転した逆位相回転系列を乗算して逆拡散を行う逆拡散処理手段と、
前記逆拡散手段の出力に対して復調処理を行う復調手段と、
を備えたことを特徴とする通信システム。
【請求項２】
前記変調手段では、拡散後の送信信号帯域を越えない範囲で、所定の周波数間隔で変調多値数分のキャリアをシンボル単位で切り替えて配置すること、を特徴とする請求項１に記載の通信システム。
【請求項３】
前記逆拡散処理手段では、サイクリック・プリフィックスを除去するサイクリック・プリフィックス除去手段と、前記サイクリック・プリフィックス除去手段の出力に対して、周波数領域で等化処理を行う等化処理手段と、前記等化処理手段の出力に対して、拡散手段で用いた位相回転系列を周波数領域に変換して逆位相回転した逆位相回転系列を乗算するとともに、前記変調手段で用いた位相回転系列を周波数領域に変換して逆位相回転した逆位相回転系列を乗算して、周波数領域上で変調多値数分の相関処理を行う相関処理手段とを備えた、ことを特徴とする請求項１または２に記載の通信システム。
【請求項４】
前記復調手段では、前記逆拡散処理手段の出力する変調多値数分の相関処理結果に基づき、最も尤度の高いものを復調データとして出力すること、を特徴とする請求項１から３のいずれか１項に記載の通信システム。
【請求項５】
前記変調手段では、複数ユーザが同時にアクセスすることができるよう、ユーザ毎に送信信号を送信する際に、拡散後の送信信号帯域を越えない範囲で、所定の周波数間隔で変調多値数分のキャリアがオーバーラップしないように配置すること、を特徴とする請求項１から４のいずれか１項に記載の通信システム。
【請求項６】
前記変調手段では、複数ユーザが同時にアクセスすることができるよう、ユーザ毎に送信信号を送信する際に、拡散後の送信信号帯域を越えない範囲で、所定の周波数間隔で変調多値数分のキャリアがオーバーラップしないように分散して配置あるいはユーザ単位でまとめて配置すること、を特徴とする請求項５に記載の通信システム。
【請求項７】
送信機が変調手段により情報系列に基づきシンボル単位で変調多値数分の変調用位相回転系列を用いて変調した後、拡散手段により前記変調手段の出力に対して、周波数軸上で一定の周波数幅で変化する位相回転系列により拡散処理を施して送信した信号を受信する受信機であって、
前記拡散手段で用いた拡散用位相回転系列をシンボル単位で逆位相回転した逆位相回転系列を乗算する乗算手段と、
前記変調手段で用いた変調用位相回転系列をシンボル単位で逆位相回転した逆位相回転系列を乗算して逆拡散を行う逆拡散処理手段と、
前記逆拡散手段の出力に対して復調処理を行う復調手段と、
を備えたことを特徴とする受信機。
【請求項８】
前記逆拡散処理手段では、サイクリック・プリフィックスを除去するサイクリック・プリフィックス除去手段と、前記サイクリック・プリフィックス除去手段の出力に対して、周波数領域で等化処理を行う等化処理手段と、前記等化処理手段の出力に対して、拡散手段で用いた位相回転系列を周波数領域に変換して逆位相回転した逆位相回転系列を乗算するとともに、前記変調手段で用いた位相回転系列を周波数領域に変換して逆位相回転した逆位相回転系列を乗算して、周波数領域上で変調多値数分の相関処理を行う相関処理手段とを備えた、ことを特徴とする請求項７に記載の受信機。
【請求項９】
前記復調手段では、前記逆拡散処理手段の出力する変調多値数分の相関処理結果に基づき、最も尤度の高いものを復調データとして出力すること、を特徴とする請求項７または８に記載の受信機。
【発明の詳細な説明】
【技術分野】
【０００１】
本発明は、符号系列により直接スペクトラム拡散を行う通信システム、送信機および受信機に関するものである。
【背景技術】
【０００２】
以下、従来の無線通信システムにおける直接拡散（DS）方式の変復調方法について、図９、図１０をもとに説明を行う。図９は送信側を示しており、１０００は変調部、１０１０は符号系列を乗算する乗算器、１０２０はフレームの末尾部分を先頭部分にコピーするサイクリック・プリフィックス（CP）付加部、１０３０はベースバンド信号をRF周波数に変換する周波数変換部、１０４０は増幅部、１０５０はアンテナである。図１０は受信側を示しており、１０６０はアンテナ、１０７０は増幅器、１０８０はRF信号をベースバンドに変換する周波数変換部、１０９０は、CPを除去するCP除去部、１１００は周波数領域処理部、１１１０はFFT、１１２０は周波数領域等化部、１１３０はIFFT、１１４０は符号系列を乗算し、１シンボル相当積分する相関器、１１５０は復調部である。さらに、１１６０は周波数領域のチャネル推定値を生成するチャネル推定値生成部である。図１１はフレーム構成を示しており、複数シンボル（Nsym）のデータに対して、拡散率SFで拡散することを想定しており、フレーム末尾のチップNcp×SFをフレーム先頭にコピーしたサイクリック・プリフィックス（CP）部分を有する構成であり、CPの時間長に相当するマルチパス遅延波の影響を軽減できる効果がある。
【０００３】
図９に示されるように、変調部１０００で変調された信号は、乗算器１０１０において、符号系列が乗算され、広帯域の信号に拡散変調される。前記拡散変調された信号は、CP付加部１０２０でCPが付加された後、周波数変換部１０３０で周波数変換され、RF信号となる。前記周波数変換部１０３０の出力信号は、増幅器１０４０で増幅された後、１０５０のアンテナを経て送信される。
【０００４】
一方、受信側では、図１０のように、受信された信号はアンテナ１０６０を経て増幅器１０７０で増幅される。前記増幅された受信RF信号は、周波数変換部１０８０によりベースバンド信号に周波数変換された後、CP除去部１０９０に入力される。前記周波数変換部１０８０の出力は、CP除去部１０９０に入力され、CP除去部１０９０はフレーム先頭に付加されたCP部分の除去を行う。前記CP除去部１０９０の出力は、周波数領域処理部１１００に入力される。前記周波数領域処理部１１００では、前記CP除去後の信号に対して、FFT処理を行い、信号は周波数領域の信号に変換される。前記FFT１１１０の出力は、周波数領域等化部１１２０に入力され、チャネル推定値生成部１１６０の周波数領域のチャネル推定値に基づき、周波数領域で等化処理が行われる。前記周波数等化部１１２０の出力は、IFFT部１１３０に入力される。IFFT部１１３０の出力は、相関器１１４０に入力される。前記相関器１１４０では、符号系列の乗算を行い、シンボル単位で積分する相関演算が行われ、相関値が前記相関器１１４０から出力される。前記相関器１１４０の出力は復調部１１５０に入力され、復調結果が復調部１１５０から出力される（例えば、非特許文献１参照）。
【先行技術文献】
【非特許文献】
【０００５】
【非特許文献１】電子情報通信学会技術研究報告，無線通信システムRCS2004-86，  pp.61-65（2004年6月）「パイロットチャネル推定を用いるDS-CDMA周波数領域等化の誤り率特性」（武田，安達）
【発明の概要】
【発明が解決しようとする課題】
【０００６】
ユーザ（チャネル）ごとに、固有の符号を用いて拡散する直接拡散（DS）方式では、広帯域伝送時にマルチパス遅延波により特性が劣化するため、上記の説明のように従来手法として周波数領域で等化する手法があるが、多値変調信号を直接拡散（DS）して伝送する場合、多値化により送信信号電力のピークファクタが大きくなることにより、送信側の増幅器の電力効率が劣化するという問題があった。
【０００７】
本発明は、上記に鑑みてなされたものであって、多値変調信号を直接拡散（DS）して伝送する場合、多値化による送信信号電力のピークファクタを低減可能な直接拡散送受信装置を得ることを目的とする。
【課題を解決するための手段】
【０００８】
上述した課題を解決し、目的を達成するために、本発明にかかる符号系列はシンボル単位で周波数帯域上の振幅特性がフラットな特性となるよう、周波数軸方向で周波数がシフトするような位相回転を与える符号系列を与えるとともに、変調は、シンボル単位で、変調多値数に応じた数のキャリアを一定の周波数間隔で配置することで周波数領域で変調多値化するようにしたものである。
【発明の効果】
【０００９】
この発明によれば、多値化による送信信号電力のピークファクタを低減可能な直接拡散送受信装置を得ることが可能になる。
【図面の簡単な説明】
【００１０】
【図１】本発明の実施の形態１による送信機の構成図である。
【図２】本発明の実施の形態１による送信シンボルの構成図である。
【図３】本発明の実施の形態１による拡散後の変調信号の周波数軸上での周波数配置を示す図である。
【図４】本発明の実施の形態１による拡散系列の時間領域の波形図である。
【図５】本発明の実施の形態１による拡散系列の周波数領域の波形図である。
【図６】本発明の実施の形態１による受信機の構成図である。
【図７】本発明の実施の形態２による送信機の構成図である。
【図８】本発明の実施の形態２による周波数配置図である。
【図９】従来の送信装置の図である。
【図１０】従来の受信装置の図である。
【図１１】従来のフレーム構成の図である。
【発明を実施するための形態】
【００１１】
実施の形態１．
本実施の形態は、送受信装置に関するものであり、図１から図８をもとに当該送受信装置の変復調処理について説明する。
【００１２】
図１に、本実施の形態における送信機の構成を示す。図２に、送信シンボルの構成を示す。また、図３に変調用位相回転系列φm（m=0,1,・・・,M-1）と拡散用位相回転系列θによる拡散後の変調信号の周波数軸上での周波数配置を示す。図４に拡散系列の時間領域の波形、図５に拡散系列の周波数領域の波形を示す。図６に受信機の構成を示す。
【００１３】
図１において、１００は変調部、１１０は拡散のための乗算器、１２０はサイクリック・プリフィックス付加部、１３０は波形整形フィルタ、１４０は周波数変換部、１５０は増幅器、１６０はアンテナである。図２のように、シンボルブロックはサイクリック・プリフィックスを含んだ（NCP＋SF）チップから構成されており、SFとFFTポイント数は同じである。
【００１４】
図１を用いて、送信機の動作を説明する。図１に示されるように、入力された情報系列に対して、変調部１００では変調用位相回転系列φm（m=0,1,・・・,M-1，Mは変調多値数）により変調される。前記変調部１００で変調された信号は、乗算器１１０において、拡散用位相回転系列θが乗算される。前記変調用位相回転系列φmおよび拡散用位相回転系列θはそれぞれ、式（１）、式（２）で表される。図３に、拡散前と拡散後の変調信号の周波数配置のイメージを示す。
【００１５】
（変調用位相回転系列）
0005387237.tif 000002
【００１６】
（拡散用位相回転系列）
0005387237.tif 000003
【００１７】
ここで、Aは変調する際のキャリア間隔を示す正の整数（1≦A≦SF/M）であり、式（１）で表される変調用位相回転系列では、シンボル単位で、変調多値数に応じた数のキャリアを一定の周波数間隔で配置して周波数領域で変調多値化している。また、式（２）では、拡散用位相回転系列は、周波数領域での相関特性に優れた、拡散率SF単位で位相がのこぎり波状に変化する複素位相回転系列によりチップ単位で位相回転する系列を用いる。前記拡散用位相回転系列による拡散では、変調信号が、チップ間隔で一定の周波数量Δfで変化していく。前記拡散用位相回転系列は、例えばポリフェーズ系列、あるいはZadoff-Chuなどが使用可能である。次式に、Δｆを示す。図４に拡散系列の時間領域の波形、図５に拡散系列の周波数領域の波形を示す。図４は３２チップの場合の拡散系列、図５は図４の拡散系列を周波数領域に変換した３２サンプルの周波数領域上の拡散系列である。図４の横軸は時間（チップ単位）、図５の横軸は周波数（サンプル単位）である。前記拡散用位相回転系列の時間領域および周波数領域の波形の電力は、共に一定となる性質を有する。
【００１８】
0005387237.tif 000004
【００１９】
ここで、図３に示されるように、Bwは拡散処理時の占有帯域幅である。
【００２０】
特に、図３に示されるように、変調用位相回転系列の性質として、変調されるデータに応じてキャリアの周波数位置がM通り変化しているが、シンボル単位で見れば、１キャリア分しか立っていない状態となるため、変調信号のピーク電力を小さくすることが可能である。従って、前記拡散のための乗算器１１０の出力では、変調シンボルに応じて、拡散系列が周波数軸上でM通りシフトしていることとなるため、ランダムなデータに基づき変調された変調部１００の出力信号を拡散系列により拡散する場合でも、周波数スペクトルをフラットにすることができ、受信側で周波数領域等化を行う際、シンボル単位で周波数領域のチャネル推定が行える。
【００２１】
乗算器１１０で拡散された変調信号は、サイクリック・プレフィックス（CP）付加部１２０に入力され、図２のシンボル構成となるよう、SFチップからなるシンボルの末尾Ncpチップ分がシンボル先頭に付加される。前記CP付加部１２０の出力は、波形整形フィルタ１３０に入力され、波形整形が行われた後、周波数変換部１４０において周波数変換され、増幅器１５０に入力される。増幅器１５０の出力は、アンテナ１６０に入力され信号が送信される。
【００２２】
次に、図６により受信機側の動作を説明する。図６に示された受信機において、２００はアンテナ、２１０は周波数変換部、２２０は波形整形フィルタ、２３０はサイクリック・プレフィックス（CP）除去部、２４０は周波数領域処理部、２５０はFFT、２６０は周波数領域等化部、２７０は相関部、２８０はチャネル推定値生成部、２９０はデータ復調する復調部である。
【００２３】
アンテナ２００で受信した信号は、周波数変換部２１０によりベースバンド信号に周波数変換される。周波数変換部２１０の出力は、波形整形フィルタ２２０により受信側でフィルタリングされた後、CP除去部２３０でCPが除去されたシンボルが抽出される。CP除去部２３０の出力は、FFT２５０に入力され、周波数領域の信号に変換される。前記FFT２５０の出力は、周波数領域等化部２６０に入力され、チャネル推定値生成部２８０が受信信号から生成した周波数領域のチャネル推定値により、周波数領域等化が行われる。
【００２４】
前記周波数領域等化２６０の出力は、相関器２７０に入力される。相関器２７０では、変調用位相回転系列φm（m=0〜M-1）と拡散用位相回転系列θとを乗算した結果を周波数領域に変換した系列F(−θ・φm)により複素相関処理を行う。ただし、変調多値数に相当するM回の相関を行う必要がある。
【００２５】
前記相関器２７０により得られたM個分の相関値は復調部２９０に入力される。復調部２９０では、前記M個分の相関値を用いて最も尤度の高いデータを復調結果として出力する。
【００２６】
以上のように、この実施の形態によれば、符号系列はシンボル単位で周波数帯域上の振幅特性がフラットな特性となるよう、周波数軸方向で周波数がシフトするような位相回転を与える符号系列を与えるとともに、変調は、シンボル単位で、変調多値数に応じた数のキャリアを一定の周波数間隔で配置することで周波数領域にて変調多値化できる。
【００２７】
またこの実施の形態によれば、周波数領域で等化を行うために、符号系列と変調信号が乗算されたシンボル単位の信号が、周波数帯域上で振幅特性がフラットな特性となる拡散後の変調信号を与えることができ、パイロットシンボルのみのフレームを挿入する必要がなく、トータルの伝送効率を低下させない直接拡散送受信装置を得ることが可能となる。
【００２８】
またこの実施の形態によれば、直接拡散（DS）方式で周波数領域等化した信号に対して、周波数領域で逆拡散のための相関処理を行うことで、変調シンボルを抽出することが可能となるため、周波数領域の信号を時間領域の信号に変換するIFFTが不要となり、FFTを一つのみの利用で実現でき、処理規模の削減が図れる。
【００２９】
またこの実施の形態によれば、周波数領域で等化を行う際に、時間長の大きいフレーム単位ではなく、シンボル単位でFFT処理を行うことができるため、伝送路が高速変動する際にも信号歪みが抑えられ通信品質への影響を小さくできる。
【００３０】
実施の形態２．
本実施の形態は、実施の形態１と同一の送受信装置の構成をとるが、複数のユーザが同時に送信するDS-CDMA対応となっている点が異なり、本実施の形態２では実施の形態１と異なる送信部分についてのみ説明を行う。
【００３１】
図７はユーザが複数いる場合の送信機の構成図であり、図７において、３００、３０１、３０２は変調部、３１０、３１１、３１２は拡散のための乗算器、３２０、３２１、３２２はサイクリック・プリフィックス付加部、３３０、３３１、３３２は波形整形フィルタ、３４０、３４１、３４２は周波数変換部、３５０、３５１、３５２は増幅器、３６０、３６１、３６２はアンテナである。
【００３２】
図７において、図１と異なる点は、ユーザ（u）ごとに与える変調用位相回転系列φm,u(m=0,1,・・・M-1,  u=0,1,・・・U)の与え方である。ここで、Mは変調多値数、Uはユーザ数である。図８にユーザごとの周波数配置例を示す。図８(a)にユーザ毎に変調時のキャリアを固めて配置する例を示す（u=0,1の場合）。図８(b)にユーザ毎に分散して配置する例を示す（u=0,1の場合）。
【００３３】
図８に示されるように、ユーザ毎に変調の多値数分のキャリアがオーバーラップせずに配置されているため、基地局側で複数のユーザからの信号を受信する際に、各ユーザからの信号電力が異なる場合でも、CDMA特有の遠近問題の影響が軽減され、通信品質の低下が抑えられる。
【００３４】
以上のように、この実施の形態によれば、DS-CDMAにおいて複数のユーザ（端末）が同時に送信する際、ユーザごとにシンボル単位で同期をとり、異なるキャリアを使用して多値変調することで、CDMA特有の遠近問題の影響を軽減することができる。
【産業上の利用可能性】
【００３５】
以上のように、この発明は符号系列により直接スペクトラム拡散を行う通信装置に適用可能である。
【符号の説明】
【００３６】
１００  変調部、１１０  乗算器、１２０  サイクリック・プリフィックス付加部、１３０  波形整形フィルタ、１４０  周波数変換部、１５０  増幅器、１６０  アンテナ、２００  アンテナ、２１０  周波数変換部、２２０  波形整形フィルタ、２３０  サイクリック・プレフィックス（CP）除去部、２４０  周波数領域処理部、２５０  FFT、２６０  周波数領域等化部、２７０  相関部、２８０  チャネル推定値生成部、２９０  復調部、３００，３０１，３０２  変調部、３１０，３１１，３１２  乗算器、３２０，３２１，３２２  サイクリック・プリフィックス付加部、３３０，３３１，３３２  波形整形フィルタ、３４０，３４１，３４２  周波数変換部、３５０，３５１，３５２  増幅器、３６０，３６１，３６２  アンテナ。
【図１】
0005387237.tif 000005
【図２】
0005387237.tif 000006
【図３】
0005387237.tif 000007
【図４】
0005387237.tif 000008
【図５】
0005387237.tif 000009
【図６】
0005387237.tif 000010
【図７】
0005387237.tif 000011
【図８】
0005387237.tif 000012
【図９】
0005387237.tif 000013
【図１０】
0005387237.tif 000014
【図１１】
0005387237.tif 000015